(57)【要約】【課題】ラッチの位置ずれを補正しつつドア閉止の検知を確実に行う。【解決手段】洗濯物を出し入れする投入口１ｇと、投入口１ｇの一端開口縁部に設けられるヒンジ２ｃと、投入口１ｇを挟んでヒンジ２ｃが設けられる側と反対側となる投入口１ｇの他端開口縁部に設けられたラッチ受部２６０と、ヒンジ２ｃを介して投入口１ｇを開閉可能に塞ぐドア２と、ドア２に設けられ、ラッチ受部２６０に係止されるラッチ２１と、ラッチ受部２６０に設けられ、ラッチ２１が係止されたことを検出するドアロック検知部２６５と、ラッチ受部２６０とは別位置に設けられ、ラッチ受部２６０に対するラッチ２１の位置ずれを補正する位置決め手段と、を具備した構成とした。【選択図】図１２
2015077348.tif 000002
【特許請求の範囲】
【請求項１】
洗濯物を出し入れする投入口と、
前記投入口の一端開口縁部に設けられるヒンジと、
前記投入口を挟んで前記ヒンジが設けられる側と反対側となる前記投入口の他端開口縁部に設けられたラッチ受部と、
前記ヒンジを介して前記投入口を開閉可能に塞ぐドアと、
前記ドアに設けられ、前記ラッチ受部に係止されるラッチと、
前記ラッチ受部に設けられ、前記ラッチが係止されたことを検出するドアロック検知部と、
前記ラッチ受部とは別位置に設けられ、前記ラッチ受部に対する前記ラッチの位置ずれを補正する位置決め手段と、を具備することを特徴とするドラム式洗濯機。
【請求項２】
前記位置決め手段は、前記投入口の開口縁部と前記開口縁部に対向する前記ドアの対向部位との一方に設けられる凸部と、前記開口縁部と前記対向部位との他方に設けられ、前記凸部が係合される凹部と、を備えてなることを特徴とする請求項１に記載のドラム式洗濯機。
【請求項３】
前記位置決め手段は、前記投入口の中央よりも前記ヒンジ側に設けられていることを特徴とする請求項１または請求項２に記載のドラム式洗濯機。
【請求項４】
前記位置決め手段は、前記ヒンジよりも下側に設けられていることを特徴とする請求項３に記載のドラム式洗濯機。
【発明の詳細な説明】
【技術分野】
【０００１】
本発明は、ドラム式洗濯機に関する。
【背景技術】
【０００２】
一般的に、ドラム式洗濯機は、水平または開口部側が高くなるように傾斜した回転軸を中心に回転して洗濯物を収容し得るドラムと、このドラムが内部に配置された外槽とを備えている。
【０００３】
この種のドラム式洗濯機は、所定量の水を貯留した外槽内で洗濯物を収容したドラムを回転させることによって、ドラム内の洗濯物を持ち上げ水面に向けて落下させるたたき洗いを繰り返して洗濯を行う。また、乾燥機能付きのドラム式洗濯機においては、ドラム内の洗濯物に温風を吹き付けて乾燥を行う。
【０００４】
ドラムの前面側には、洗濯物を出し入れするための投入口が設けられており、投入口には、開閉式のドアが設けられている。ドアは、例えば、洗濯機本体に設けられたロック手段により、運転中は洗濯機本体に閉じられた状態でロックされるようになっており、また、洗濯機本体に設けられた開ボタン等を操作することにより開かれるようになっている。
【０００５】
また、ドアを開操作するための取手がドアの外周部に設けられたものも知られている（例えば、特許文献１参照）。特許文献１では、ドアに設けられたラッチが投入口の開口縁に設けられたラッチ受部に係止されてドアが投入口を閉じるように構成されている。
ラッチ受部の内部には、ドアロック検知部が設けられている。ドアロック検知部は、ラッチが係止されたときにラッチにより押圧されるようになっており、押圧によりドアが閉じられたことを検出する。
また、ラッチ受部の開口縁には、傾斜状の案内部が設けられている。案内部は、ドアのずれ等によるラッチの位置ずれを生じている場合に、当接したラッチをラッチ受部内に導く作用をなす。案内部により、ラッチの位置ずれが生じている場合でも、その位置ずれを補正しつつラッチ受部に対するラッチの係止が可能となる。
【先行技術文献】
【特許文献】
【０００６】
【特許文献１】特許第４５１９０５４号公報
【発明の概要】
【発明が解決しようとする課題】
【０００７】
特許文献１に記載された洗濯機のラッチ受部は、ラッチの位置ずれを補正する機能とドアロックの検知機能との２つの機能を有していた。これにより、ラッチの位置ずれを生じている場合でもこれを補正しつつドアが閉止されたことを検知することが可能であるが、さらなるドア閉止の検知の確実性の要求を十分に満たすべく改善が望まれていた。
【０００８】
本発明はこのような事情に鑑みてなされたものであり、ラッチの位置ずれを補正しつつドア閉止の検知を確実に行うことのできるドラム式洗濯機を提供することを課題とする。
【課題を解決するための手段】
【０００９】
本発明は、洗濯物を出し入れする投入口と、前記投入口の一端開口縁部に設けられるヒンジと、前記投入口を挟んで前記ヒンジが設けられる側と反対側となる前記投入口の他端開口縁部に設けられたラッチ受部と、前記ヒンジを介して前記投入口を開閉可能に塞ぐドアと、前記ドアに設けられ、前記ラッチ受部に係止されるラッチと、前記ラッチ受部に設けられ、前記ラッチが係止されたことを検出するドアロック検知部と、前記ラッチ受部とは別位置に設けられ、前記ラッチ受部に対する前記ラッチの位置ずれを補正する位置決め手段と、を具備することを特徴とする。
【発明の効果】
【００１０】
本発明によれば、ラッチの位置ずれを補正しつつドア閉止の検知を確実に行うことのできるドラム式洗濯機が得られる。
【図面の簡単な説明】
【００１１】
【図１】本発明の一実施形態に係るドラム式洗濯乾燥機を示す図であり、（ａ）は正面図、（ｂ）は右側面図である。
【図２】内部の構造を模式的に示す左側面図である。
【図３】内部の構造を模式的に示す右側面図である。
【図４】内部の構造を模式的に示す上面図である。
【図５】内部の構造を模式的に示す上部左側の部分正面図である。
【図６】（ａ）はドアの正面図、（ｂ）はドアの後面図である。
【図７】固定カバーを取り外した状態のドアの後面図、（ｂ）はロック機構を示す後面図である。
【図８】（ａ）は非開操作時（ドア閉止時）におけるラッチとラッチ受部との当接状態を示す図、（ｂ）は開操作時におけるラッチとラッチ受部との離間状態を示す図である。
【図９】（ａ）はドア閉止時におけるドアの横断面図、（ｂ）はラッチの係止の様子を示す端面図である。
【図１０】ラッチ受部の拡大斜視図である。
【図１１】（ａ）はドアの左側面図、（ｂ）は凸部周りの後面図、（ｃ）は図１１（ｂ）のＤ−Ｄ線に沿う凸部の固定構造を示す拡大断面図である。
【図１２】位置決め手段を構成する凸部と凹部との位置関係を示す正面斜め右下方から見たドラム式洗濯乾燥機の斜視図である。
【図１３】図１２において一点鎖線の丸で囲んだ部分の拡大図であり、（ａ）は凸部部を示す図、（ｂ）は凹部を示す図である。
【図１４】凸部と凹部との係合位置を基準としたドア周りの縦断面図である。
【図１５】図１４において一点鎖線の丸で囲んだ部分の拡大断面図である。
【発明を実施するための形態】
【００１２】
以下、本発明の実施形態に係るドラム式洗濯機について、適宜図面を参照しながら詳細に説明する。本実施形態に係るドラム式洗濯機は、ラッチ受部に対するラッチの位置ずれを補正する位置決め手段を備えていることを主な特徴としている。以下では、まずドラム式洗濯機の全体構成について説明した後に、位置決め手段について詳しく説明する。なお、本実施形態では、ドラム式洗濯機としてドラム式洗濯乾燥機を例に説明する。以下の説明における前後左右上下の方向は、図１に示す前後左右上下の方向を基準とする。
【００１３】
図１（ａ）に示すように、ドラム式洗濯乾燥機は、外郭が鋼板と樹脂成型品とを組み合わせて構成された筐体１を有し、この筐体１がベース１ｈの上に取り付けられて構成されている。筐体１は、左右の側板１ａ，１ｂ、前面カバー１ｃ、背面カバー１ｄ（図１（ｂ）参照）、上面カバー１ｅ、下部前面カバー１ｆで構成されている。左右の側板１ａ，１ｂは、コの字型の上補強部材Ｒ２（図２，図４参照）、前補強部材Ｒ１（図２，図４参照）、後補強部材（図示せず）で結合されており、ベース１ｈを含めて箱状の筐体１を形成し、十分な強度を有している。
【００１４】
前面カバー１ｃの略中央には、洗濯物または乾燥対象物となる衣類等を出し入れするための投入口１ｇが設けられている。投入口１ｇはドア（蓋体）２で塞がれており、ドア２は、前補強部材Ｒ１に設けたヒンジ２ｃ（図２，図９参照）で開閉可能に支持されている。ドア２の構成や投入口１ｇ周りの構成の詳細については後記する。
筐体１の前面上部には、電源スイッチ１２ａ、操作スイッチ１２ｂ、１２ｃ、表示器１２ｄ等を備えた操作パネル１２が設けられている。操作パネル１２は、筐体１の下部に設けられた制御装置１３（図２，３参照）に電気的に接続されている。
【００１５】
操作パネル１２の左側には、洗剤、漂白剤、柔軟剤等を投入するための引き出し式のトレイ１４が設けられている。また、操作パネル１２の右側には、引き出し式の乾燥フィルタ１５が設けられている。
【００１６】
乾燥フィルタ１５は、メッシュ式のフィルタ１５ａ（図４参照）を備えており、糸くずや綿埃等を除去するようになっている。乾燥フィルタ１５の掃除は、乾燥フィルタ１５を引き出し、メッシュ式のフィルタ１５ａを取り出して行う。
【００１７】
また、上面カバー１ｅには、水道栓からの給水ホースが接続される図示しない接続口、風呂の残り湯を給水するための図示しないホース接続口が設けられている。
【００１８】
図２に示すように、ドラム式洗濯乾燥機は、筐体１内に、回転軸を中心に回転可能なドラム（回転ドラムや内槽等とも呼ばれている。）３を有している。ドラム３内には、衣類等が収容される。
【００１９】
ドラム３は、ステンレス鋼等の金属で形成されており、略有底円筒状を呈している。ドラム３は、図２において破線で示すように、開口端３９側がドア２に臨むよう、当該開口端３９側をドラム式洗濯乾燥機の前方に向けて配置されている。
【００２０】
ドラム３の周壁３１には、通水および通風のための複数の図示しない貫通孔が形成されている。
また、ドラム３の開口端３９の縁部には、図３に示すように、略円環状の流体バランサ（バランサリングとも呼ばれている。）３５がドラム３と一体に設けられている。流体バランサ３５は、その内部に比重の大きな流体を封入して構成され、ドラム３の回転時に洗濯物の偏り等によって偏心が生じたときに、流体バランサ３５内での流体の移動によって偏心をキャンセルし、回転のバランスを維持する。なお、ドラム３の内部へのアクセスは、円環状の流体バランサ３５の半径方向内側で大きく開口している開口部３６（図２参照）を通じて行うことができ、ここから衣類等を出し入れすることができる。
【００２１】
ドラム３の周壁３１の内側には、図３に示すように、奥行き方向（軸方向）に、直線状に突設されたリフタ３７が複数個設けられている。リフタ３７を設けることにより、洗濯時や乾燥時のドラム３の回転で得られる遠心力とともに衣類等を持ち上げ、重力でこれを落下させるという動作を効率的に、かつ繰り返して行うことができる。なお、ドラム３の回転中心３８は、開口部３６（図２参照）側が高くなるように傾斜しているが、水平であってもよい。
【００２２】
また、ドラム式洗濯乾燥機は、ドラム３を内部に配置する外槽４をドラム３と同軸上に備える。この外槽４は合成樹脂で形成されており、略有底円筒状に形成されている。外槽４は、開口端がドア２に臨むように、ドラム式洗濯乾燥機の前方に向けて配置されている。
【００２３】
外槽４の開口端の縁部には、略円環状の槽カバー５が取り付けられている。槽カバー５の開口端は、ドア２に臨んでいる。
なお、槽カバー５は、外槽４と同じかまたは異なる合成樹脂で形成されている。外槽４や槽カバー５を形成する合成樹脂としては、ポリプロピレン樹脂、ポリブチレンテレフタレート樹脂、ポリフェニレンサルファイド樹脂、シンジオタクチック・ポリスチレン樹脂を用いることができ、好ましくはこれらに補強材を添加した合成樹脂を用いることができる。なお、コスト等の観点から、これらの中でもポリプロピレン樹脂を用いるのが望ましい。補強材としては、フィラー成分、つまり、ガラスフィラーやタルク等の無機フィラー等を用いることができる。補強材を添加することによって高強度化することができるため、強度が必要とされる外槽４に好適である。
【００２４】
図２に示すように、槽カバー５の開口部と前補強部材Ｒ１に設けられた開口部とは、ゴム製のベローズ２ｅで接続され、ベローズ２ｅは、ドア２を閉じることで外槽４とドア２との水密性を維持する役割を果たしている。これにより、洗い、すすぎおよび脱水時の水漏れの防止が図られている。
【００２５】
図２に示すように、外槽４の底壁の背面側中央には、ドラム３を駆動するためのモータＭ１が取り付けられている。モータＭ１の回転軸（図示せず）は、外槽４を貫通し、ドラム３と結合している。
【００２６】
図２および図３に示すように、外槽４は、下側をベース１ｈに固定された複数のサスペンション４０により防振支持されている。なお、このサスペンション４０はコイルばね４０ａとダンパ４０ｂで構成されている。
【００２７】
一方、外槽４の上側は、上補強部材Ｒ２に取り付けた補助ばね４５（図４および図５参照）で支持されている。補助ばね４５は、外槽４の前後方向への倒れを防いでいる。
【００２８】
図２に示すように、外槽４の後側の上部左側には、外槽４内へ水、洗剤、漂白剤等を含む液体を供給するための給水口（供給口）４６が設けられている。給水口４６は、ここから下方に向かって緩やかにカーブする図示しない溝と連通している。この溝には、溝の下端部を除いて溝を塞ぐようにカバー部材がねじ締結または溶着されている。そのため、溝の下端部のみが外槽４内と連通している。
【００２９】
洗剤容器１７は、図５に示すように、上部開口１７ａおよび前部開口１７ｂを有しており、前部開口１７ｂに、引き出し式のトレイ１４（図１（ａ）参照）が装着される。洗剤類を入れる場合は、トレイ１４を引き出す。洗剤容器１７は、筐体１の上補強部材Ｒ２に固定されている。洗剤容器１７は、外槽４との干渉を防ぐために底面が斜めにカットされており、正面から見ると右側が浅く、左側が深くなっている。また、洗剤容器１７の左側面、やや後方に出水口１７ｃが設けられている。したがって、洗剤容器１７の底面は、出水口１７ｃの位置が最も低くなるような、すり鉢状に形成されている。洗剤容器１７の出水口１７ｃと給水口４６とは、ゴム製の蛇腹管１７ｄで接続されている。
【００３０】
そのため、洗剤容器１７から供給される液体は、出水口１７ｃから蛇腹管１７ｄを通って給水口４６に入る。給水口４６に入った液体は、前記した溝を通って外槽４内に供給される。かかる構成により、乾燥運転後に、排水トラップの水封じを回復させるため、外槽４を介して排水用配管に補給水を供給する場合等において、乾いた衣類等を濡らしてしまうのを防止することができる。
【００３１】
図２および図３に示すように、外槽４の底面最下部には、排水口４７が設けられ、排水継手を介して排水ホースＤ１が接続されている。なお、排水ホースＤ１の先端部は、図３に示すように床面Ｇに設けられた排水孔Ｇ１に接続されている。また、排水ホースＤ１の途中には、排水弁Ｄ２が設けられ、この排水弁Ｄ２を閉じて給水することで外槽４内に水が溜められ、排水弁Ｄ２を開くことで外槽４内の水が機外へ排出される。
図３に示すように、筐体１の背面内側には、送風ダクト６１が設けられ、この送風ダクト６１の下部には、排水弁Ｄ２の下流において排水ホースＤ１と合流するように接続されるオーバーフロー用ホースＤ３が接続されている。このオーバーフロー用ホースＤ３の上流端は、蛇腹管４９ｃよりも上側に位置するように接続されている。
【００３２】
また、外槽４の後部端面の最下部には、図２に示すように、エアトラップ４８が設けられており、チューブＴによって水位センサ５６（図２参照）と接続されることで、外槽４内の水位の検出が行われる。なお、エアトラップ４８は、エアトラップ継手シールとエアトラップ継手とによって外槽４を貫通して接続されている。
【００３３】
洗剤容器１７（図２参照）の後側には、図４に示すように、給水電磁弁５２、風呂水給水ポンプ５３、水位センサ５６等の給水に関連する部品が設けられている。洗剤容器１７の上部開口１７ａ（図５参照）には、給水電磁弁５２を取り付けた給水ユニット５４を備える。
【００３４】
図３に示すように、乾燥フィルタ１５には、乾燥ダクト１５ｂを介して送風ダクト６１が接続されている。送風ダクト６１は、外槽４の後部端面下方に設けた排気口４９に、ゴム製の蛇腹管４９ｃを介して接続されている。送風ダクト６１内には、図示しない水冷除湿機構が内蔵されており、水冷除湿機構には、図４に示すように、給水電磁弁５２から給水ホース５５を介して冷却水が供給される。
【００３５】
図４に示すように、乾燥フィルタ１５の後側には、送風ファン６２が設けられている。そして、図３に示すように、送風ファン６２の吸気側は乾燥フィルタ１５に接続され、また、吐出側はヒータ６３が内蔵された温風ダクト６４に接続されている。また、この温風ダクト６４は、ゴム製の蛇腹管６５と、これと接続される温風吹出ノズル６８を介して、外槽４の開口部に接続されている。
【００３６】
制御装置１３（図２参照）は、マイクロコンピュータ、駆動回路を備えるとともに、操作スイッチ１２ｂ、１２ｃ（図１（ａ）参照）や各種センサからの入力回路等も備える。マイクロコンピュータは、使用者の操作や、洗濯工程、乾燥工程での各種情報信号を受ける。マイクロコンピュータは、駆動回路を介して、モータＭ１、給水電磁弁５２、排水弁Ｄ２、送風ファン６２等（図２〜図４参照）に接続され、これらの開閉、回転、通電を制御する。また、使用者に洗濯機に関する情報を知らせるために、表示器１２ｄ（図１（ａ）参照）やブザー等を制御する。
【００３７】
次に、ドア２や投入口１ｇの開口縁部の構成について詳細に説明する。
ドア２は、図６（ａ）（ｂ）に示すように、正面視、後面視で円形状を呈している。ドア２の外周部には取手２０が設けられている。また、ドア２を構成する枠体２００には、位置決め手段を構成する凸部２５０（図６（ｂ），図１２参照）が突設され、投入口１ｇの開口縁部には、位置決め手段を構成する凹部２７０（図１２参照）が凹設されている。凸部２５０は、ドア閉止時に凹部２７０に対して係合するように構成されている。
【００３８】
ドア２は、図１（ａ）に示すように、前面カバー１ｃに設けられた円形状の投入口１ｇを閉塞する扉の役割をなす。ドア２は、左側周部に設けられたヒンジ２ｃ（図９（ａ），図１２参照）を介して筐体１に開閉可能に設けられている。投入口１ｇの開口縁部（筐体１の前面カバー１ｃ）には、図１２に示すように、投入口１ｇを仕切るリング状（ドア２と同心円状）のカバー部材１ｊが取り付けられている。カバー部材１ｊは、滑り性のよい表面加工が施された、例えば、合成樹脂やステンレス鋼等の金属材を用いることができる。
【００３９】
図６（ｂ）に示すように、ドア２の右側周部（ヒンジ２ｃが取り付けられるヒンジ取付部２ｂと反対側となる周部）には、ドア２を閉位置でロックするラッチ２１を含むロック機構が設けられている。また、ラッチ２１の上側には、取手２０が配置されており、取手２０は、ラッチ２１のロックを解除するように作用する（図８（ａ）に示す係止状態、図８（ｂ）に示す解除状態）。
【００４０】
具体的に、ドア２は、リング状の枠体２００（図７（ａ）参照、以下同じ）と、枠体２００の前面に固定された窓部材２１０（図６（ａ）参照、以下同じ）と、枠体２００の後面に固定された薄板リング状の固定カバー２２０（図６（ｂ）参照、以下同じ）と、枠体２００と固定カバー２２０との間に脱落不能に保持されたドアガラス２３０と、を備えて構成されている。
【００４１】
枠体２００は、合成樹脂で一体的に形成されており、前面側に向けて略湾曲状に膨出し、後面側が開口形成された断面略Ｃ字形状（不図示）を呈している。枠体２００は、投入口１ｇの開口縁部のカバー部材１ｊに対向する部材である。枠体２００の内側には、図７（ａ）に示すように、周方向に延設されたリブ２０１や、このリブ２０１に交差するように径方向に延設されたリブ２０２が形成されている。リブ２０２には、周方向に一つ置きにボス２０３が一体的に形成されている。ボス２０３には、固定カバー２２０を固定するための固定ねじ２２１（図６（ｂ）参照）が螺合される。
【００４２】
図７（ａ）に示すように、枠体２００の後面には、ヒンジ２ｃを固定するための金属製の座板２０４が設置されている。この座板２０４は、固定カバー２２０を取り付ける際に、固定ねじ２２１（図６（ｂ）参照）によって固定される。
【００４３】
また、枠体２００の上側および下側の内面には、当接部材２００ｃ，２００ｃが設けられている。これらの当接部材２００ｃ，２００ｃは、ドア２を閉止した際に、投入口１ｇ（図１（ａ）参照）のカバー部材１ｊの対向面に当接する。なお、当接部材２００ｃ，２００ｃの先端部には、図示しない弾性部材が取り付けられている。
【００４４】
取手２０は、硬質の合成樹脂により一体的に形成されており、図７（ａ）に示すように、基部２２と、この基部２２の一端から延びてドア２の外周縁部から延出する指掛け部２３とを備えている。
なお、取手２０は、図１（ｂ）に示すように、筐体１の前面の最大突出部１ｋよりも後方側に配置されている。
【００４５】
基部２２には、図７（ｂ）に示すように、長手方向の両端部に回動軸２２ａ，２２ｂが突設されており、さらに回動軸２２ｂの側方には、回動軸２２ｂに並んで延部２２ｃが設けられている。延部２２ｃの先端部には、図８（ａ）（ｂ）に示すように、ラッチ２１の端部２１ａに当接する平らな当接面２２ｃ１と、当接面２２ｃ１に連続して形成された傾斜部２２ｄと、が設けられている。
【００４６】
傾斜部２２ｄは、図８（ｂ）に示すように、取手２０の開操作時にラッチ２１の端部２１ａに当接してラッチ２１に、解除方向への回動力を付与する。取手２０の開操作時の作用については後記する。
【００４７】
取手２０は、図７（ｂ）に示すように、長手方向の両端部の回動軸２２ａ，２２ｂを枠体２００の内面に設けられた支持部２０５ａ，２０５ｂにそれぞれ支持することによって、枠体２００に回動可能に取り付けられる。取り付けに際しては、回動軸２２ｂを支持部２０５ｂに支持しておいてから、回動軸２２ａをＣ字形状（不図示）の支持部２０５ａに嵌め込む（枠体２００の径方向から嵌め込む）ことで、取手２０が組み付けられる。
なお、枠体２００には、取手２０の回動を初期位置（ドア２の閉位置）に付勢するためのばね部材２０８が配置されている。このばね部材２０８により、取手２０は、図１２（ａ）に示すように、枠体２００に設けられた規制リブ２００ａに基部２２が当接する状態で位置決めされ、この状態で、指掛け部２３が、枠体２００の周部に設けられた切欠部２００ｅ（図６（ａ）参照）を通じて枠体２００の外周縁部に延出する。これにより、指掛け部２３の一部がドア２の前面（窓部材２１０の縁部）にオーバーラップする状態となる。
【００４８】
ロック機構は、図７（ｂ）に示すように、ラッチ２１と、付勢ばね２８と、シャフト２９とを備えている。
ラッチ２１は、合成樹脂により一体的に形成されており、図８（ａ）（ｂ）に示すように、側面視略Ｌ字状を呈している。ラッチ２１は、板状の支持部２１ｃと、支持部２１ｃから立設されたフック部２１ｄとを有している。支持部２１ｃの端部２１ａは、先細り形状とされており、取手２０の当接面２２ｃ１に後方から当接する（重なる状態で配置される）。
【００４９】
また、支持部２１ｃの反対側の端部には、図７（ｂ）に示すように、溝２１ｂが形成され、この溝２１ｂに付勢ばね２８の端部２８ａが付勢力をもって係止されるようになっている。
図８（ａ）（ｂ）に示すように、支持部２１ｃとフック部２１ｄとの連結部には、シャフト挿通部２１ｅが形成されており、ラッチ２１は、このシャフト挿通部２１ｅに挿通されるシャフト２９を中心として回動可能に枠体２００に組み付けられる。
フック部２１ｄに形成されるフックは、その先端部２１ｍが枠体２００の径方向内側に向くように設けられている。フック部２１ｄの反フック側には、枠体２００の径方向外側へ向けて突出する突出部２１ｐが形成されている。
【００５０】
付勢ばね２８は、図７（ｂ）に示すように、ねじりコイルばねであり、一方の端部２８ａがラッチ２１の溝２１ｂに係止され、他方の端部２８ｂが枠体２００の係止部２０２ａに係止される。これにより、ラッチ２１は、シャフト２９を中心としてフック部２１ｄのフックが後記するようにラッチ受部２６０に係止される方向（シャフト２９の左回り方向）に付勢されるようになっている。
【００５１】
シャフト２９は、枠体２００に立設さられた支持部２０７ａ，２０７ｂ，２０７ｃを通じてラッチ２１のシャフト挿通部２１ｅおよび付勢ばね２８に挿通されるようになっており、これらを支持して枠体２００に保持する役割をなす。
なお、支持部２０７ａの側方には、シャフト２９の脱落を防止する抜け止め片２０６が立設されている。この抜け止め片２０６は、薄板状を呈しており、枠体２００の径方向に傾倒可能な弾力性を有したものとなっている。
【００５２】
図９（ａ）に示すように、ヒンジ２ｃが設けられる側と反対側となる投入口１ｇの他端開口縁部には、ラッチ受部２６０が設けられている。ラッチ受部２６０には、図９（ｂ）に示すように、ドア閉止時のラッチ２１が係止可能である（図８（ａ）参照）。ラッチ受部２６０は、図１０に示すように、ラッチ２１が挿通される長方形状の開口部を有しており、その開口縁には、開口へ向けて広がる傾斜状の案内部２６２ａ〜２６２ｃが形成されている。
【００５３】
図１０に示すように、ラッチ受部２６０の内側（後方側）には、ドアロック検知部２６５が設けられている。ドアロック検知部２６５は、図８（ａ）に示すように、ラッチ２１の先端部２１ｍによって押圧されてスライド移動する検出部２６５ａを有している（ドアロック検知部２６５の本体部分は不図示）。検出部２６５ａは、ラッチ２１の先端部２１ｍがラッチ受部２６０の係止受部２６６に係止された際に、図中白抜き矢印方向に押圧されて移動するように構成されている。ドアロック検知部２６５は、検出部２６５ａが図中矢印方向に押圧されて移動することで、ラッチ２１の先端部２１ｍがラッチ受部２６０の係止受部２６６に係止されたこと、すなわち、ドア２が閉止されたことを検知する。
【００５４】
また、ドア２の閉状態において、取手２０が開操作されると、取手２０の延部２２ｃが回動し、係止フック２１の支持部２１ｃの端部２１ａが押される。これにより、係止フック２１の係止が解除される方向に係止フック２１が回動する（図８（ｂ）参照）。
ラッチ２１の係止が解除されると、図示しない付勢部材等によって検出部２６５ａが図中白抜き矢印方向（解除方向）に移動し、ドア閉止の検知が解除される。
【００５５】
位置決め手段を構成する凸部２５０は、図１１（ａ）〜（ｃ）に示すように、枠体２００の後面側に設けられている。凸部２５０は、ドア２の中央よりも（投入口１ｇの中央よりも、図１２参照）ヒンジ２ｃ側（ヒンジ２ｃが取り付けられる側）において、座板２０４の周方向下側となる位置に配置されている（図１１（ｂ）参照）。凸部２５０は、耐摩耗性および強度性に優れた材料、例えば、ポリアセタールから形成されており、図１１（ｃ）に示すように、胴部２５２と、胴部２５２の周面に一体的に形成された板状の固定部２５３とを備えている。胴部２５２は、先端部が底部となる有底円筒状を呈している。先端部の外周面には、先端に向けて漸次窄まるテーパ面２５４が形成されている。テーパ面２５４よりさらに先端側は、略半球状に形成されている。また、先端部よりも基端側は、図示しない軸線に沿って一定の外径を有している。
【００５６】
固定部２５３には、固定ネジ２５５が挿通されるネジ穴が形成されている。枠体２００の後面には、固定用ボス部２０３ａが突設されており、固定部２５３に挿通された固定ネジ２５５をこの固定用ボス部２０３ａに螺合することで、枠体２００の後面に凸部２５０が取り付けられる。固定された状態において胴部２５２の先端部側は、固定カバー２２０に設けられた凸部挿通孔２５１を通じて投入口１ｇの開口縁部側に突出する（図１３（ａ）参照）。
なお、固定部２５３を円板状に形成してもよく、また、３つ以上の固定ネジ２５５で固定部２５３が枠体２００に固定されるように構成してもよい。
【００５７】
一方、図１２に示すように、投入口１ｇの開口縁部のカバー部材１ｊには、凸部２５０に対向する位置に凹部２７０が設けられている。凹部２７０には、ドア閉止時に凸部２５０が係合可能である。凹部２７０は、図１３（ｂ）に示すように、左右方向に若干横長とされた有底の長穴形状とされており、その開口縁２７１は、テーパ状に面取りされている（図１５参照）。開口縁２７１は、ドア閉止時に凸部２５０の先端部を凹部２７０内に誘い込む（案内する）案内面として機能する。凹部２７０は、カバー部材１ｊの表面に略直交する内周面２７２を有している。
なお、凹部２７０は、ヒンジ２ｃを中心として回動する凸部２５０の先端部の回動軌跡を考慮して、凸部２５０が凹部２７０内に挿入されるように、長穴の大きさが設定されている
【００５８】
凹部２７０は、図１５に示すように、前補強部材Ｒ１に設けられた貫通孔２７５に挿通されて底部２７３側が前補強部材Ｒ１の後面側に配置される。これにより、凹部２７０の内周面２７２は、後面側に長く延在され、その結果、凹部２７０の内側に形成される係合空間（凸部２５０の係合空間）が大きく形成されている。
ここで、前記した凸部２５０の突出長さは、ドア閉止時にラッチ２１がラッチ受部２６０に接触するよりも先に、胴部２５２が凹部２７０の内周面２７２に係合する状態となる長さに設定されている。
【００５９】
ドア２は、このように凸部２５０が凹部２７０に係合されることで、投入口１ｇを好適に密閉する状態に投入口１ｇの開口縁部に位置決めされる。
ラッチ２１は、このようにドア２が位置決めされた状態で、ドア閉止時にラッチ受部２６０の下側の案内部２６２ｃに当接することなく、ラッチ受部２６０内に挿入されるように構成されている。
【００６０】
固定カバー２２０は、図６（ｂ）に示すように、枠体２００の後面に固定される薄板リング状を呈しており、取手２０に対応する部分に凹状部２２４が形成されている。
固定カバー２２０には、周方向に所定の間隔を置いて、枠体２００のボス２０３（図７（ａ）参照）に対応する位置にねじ孔２２２が形成されている。また、固定カバー２２０には、当接部材２００ｃ，２００ｃ（図７（ａ）参照）が挿通される当接部材孔２２３，２２３や、ラッチ２１（図７（ａ）参照）が挿通されるラッチ孔２２７、凸部２５０が挿通される凸部挿通孔２５１がそれぞれ形成されている。
【００６１】
ドアガラス２３０は、図９（ａ）に示すように、断面略ハット状を呈しており、周部に形成されたフランジ部２３２が固定カバー２２０で枠体２００に押えられることで、枠体２００と固定カバー２２０との間に脱落不能に保持されている。
ドアガラス２３０の上部には、傾斜面２３１（図６（ｂ）参照）が形成されている。この傾斜面２３１は、外槽４の開口部を通じて吹き出された温風を、ドラム３内に好適に導く役割をなす。
【００６２】
次に、ドア閉止時の作用について説明する。
例えば、洗濯時に、投入口１ｇを通じてドラム３内に衣類等を収容した後、開いた状態のドア２に手をあてがう等してドア２を閉じる方向に操作すると、ドア２はヒンジ２ｃを介して回動され、投入口１ｇを塞ぐ状態に投入口１ｇの開口縁部（カバー部材１ｊ）に近付く。そうすると、ラッチ２１よりもヒンジ２ｃに近い側に設けられたドア２の凸部２５０（胴部２５２）が、投入口１ｇの開口縁部の凹部２７０内に挿入されるようにして係合する。これにより、ドア２が閉じられる過程で、投入口１ｇを好適に密閉する状態に投入口１ｇの開口縁部に位置決めされる。
【００６３】
ここで、仮に、開かれたドア２に対する下方向の外力が作用すること等により、ドア２が所定位置よりも下がる状態に位置ずれを生じている場合には、凹部２７０に対する凸部２５０の位置ずれが生じ、ドア２が閉じられる過程で、凸部２５０の胴部２５２の先端部が凹部２７０の下側の開口縁２７１に当接する。そうすると、胴部２５２は、開口縁２７１上を案内されて凹部２７０内に誘い込まれ、内周面２７２に導かれる。これにより、ドア２の位置ずれが補正されることとなり、ラッチ受部２６０に対するラッチ２１の位置ずれが補正されることとなる。
【００６４】
なお、凸部２５０が凹部２７０に係合した状態において、凸部２５０の胴部２５２の外周面と、凹部２７０の内周面２７２とが、その形状により軸方向に密着する状態となるので、係合時に片当たり等を生じることがなく、良好な係合状態を維持することができる。このことは、耐久性の向上に寄与する。
【００６５】
その後、ドア２を投入口１ｇの開口縁部にさらに近付けると、ラッチ２１がラッチ受部２６０内に挿入される。この場合、位置決め手段によりドア２が位置決めされた状態で、ラッチ２１がラッチ受部２６０内に挿入されるので、挿入時にラッチ受部２６０の下側の案内部２６２ｃにラッチ２１の先端部２１ｍが当接することがなく、スムーズな挿入が実現される。
【００６６】
挿入後、ラッチ２１の先端部２１ｍが係止受部２６６側に移動して、先端部２１ｍが係止受部２６６に係止される。これにより、ドアロック検知部２６５の検出部２６５ａが先端部２１ｍにより押圧され、ドアロック検知部２６５によってドア閉止が検知される。
ここで、ラッチ２１の先端部２１ｍは、ラッチ受部２６０内に挿入された後、係止受部２６６側にスムーズに移動される。これは、挿入時に下側の案内部２６２ｃ等にラッチ２１の先端部２１ｍが当接することがなく、当接したときのような抵抗を先端部２１ｍが受けないからであり、先端部２１ｍの移動の自由度が確保されるからである。これにより、ドアロック検知部２６５によるドア閉止の検知を確実に行うことができる。
【００６７】
以上説明した本実施形態のドラム式洗濯乾燥機によれば、ラッチ受部２６０に対するラッチ２１の位置ずれを補正する位置決め手段（凸部２５０、凹部２７０）がラッチ受部２６０とは別位置に設けられており、ラッチ２１の位置ずれを補正する機能とドアロックの検知機能との２つの機能を別々に設けたので、位置決め手段により位置ずれを好適に補正しつつ、ラッチ受部２６０によりドア閉止の検知を確実に行うことができる。
【００６８】
位置決め手段は、ドア２に設けられる凸部２５０と、凸部２５０に対向する投入口１ｇの開口縁部に設けられた凹部２７０と、から構成されているので、構成が簡単であり、ラッチ２１の位置ずれを補正する機能を安価に得ることができる。また、位置決め手段の構成として凸部２５０と凹部２７０とを付加すればよいので、洗濯機の大幅な設計変更を必要とせずにラッチ２１の位置ずれを補正する機能を実現可能である。
【００６９】
位置決め手段は、投入口１ｇの中央よりもヒンジ２ｃ側に設けられているので、ラッチ受部２６０にラッチ２１が係合する前に、確実に凸部２５０と凹部２７０とを係合させることができ、ラッチ２１の位置ずれ補正をラッチ受部２６０にラッチ２１が係合する前に確実に行うことができる。
【００７０】
位置決め手段は、ヒンジ２ｃよりも下側に設けられているので、ドアガラス２３０等に遮られて、使用者に凸部２５０等が見え難い。したがって、ドア２等のデザイン性が損なわれることもない。
【００７１】
以上、本発明を実施形態に基づいて詳細に説明したが、本発明の内容は以上の説明に限定されるものではなく、種々の改変や変更も本発明の趣旨を逸脱しない範囲で本発明に含まれる。
例えば、以上の説明では、ドア２側に凸部２５０を設け、投入口１ｇの開口縁部に凹部２７０を設けたが、これとは逆に、投入口１ｇの開口縁部に凸部２５０を設けるとともに、ドア２側に凸部２５０を設けてもよい。
【００７２】
また、位置決め手段（凸部２５０および凹部２７０）は、対向する１箇所に設けたが、ドア２の周方向に間隔を空けて複数箇所に設けてもよい。
【００７３】
さらに、位置決め手段は、投入口１ｇの中央よりもヒンジ２ｃ側に設けられたものを示したが、投入口１ｇの中央よりもラッチ２１側に設けてもよい。また、投入口１ｇの中央に設けてもよい。
【００７４】
また、位置決め手段は、ヒンジ２ｃよりも下側に設けたが、これに限られることはなく、ヒンジ２ｃよりも上側に設けてもよく、ヒンジ２ｃの上下両側に設けてもよい。
【符号の説明】
【００７５】
１ｇ    投入口
２      ドア
１ｊ    カバー部材（開口縁部）
２ｃ    ヒンジ
２１    ラッチ
２５０  凸部（位置決め手段）
２６０  ラッチ受部
２６５  ドアロック検知部
２７０  凹部（位置決め手段）
【図１】
2015077348.tif 000003
【図２】
2015077348.tif 000004
【図３】
2015077348.tif 000005
【図４】
2015077348.tif 000006
【図５】
2015077348.tif 000007
【図６】
2015077348.tif 000008
【図７】
2015077348.tif 000009
【図８】
2015077348.tif 000010
【図９】
2015077348.tif 000011
【図１０】
2015077348.tif 000012
【図１１】
2015077348.tif 000013
【図１２】
2015077348.tif 000014
【図１３】
2015077348.tif 000015
【図１４】
2015077348.tif 000016
【図１５】
2015077348.tif 000017